(57)【要約】【課題】レーベル画像が再現された好ましいプレビュー画像を得ることができるレーベル画像描画装置、レーベル画像描画プログラム、およびレーベル画像描画方法を提供する。【解決手段】ＤＶＤ３００に描画されるレーベル画像の元となる原画像を入手する原画像入手部６１０と、原画像入手部６１０で入手された原画像に基づいてレーベル画像をＤＶＤ３００に描画するレーベル画像描画部６２０と、ＤＶＤ３００のレーベル面上で描画可能な描画色であるレーベル色や、そのレーベル色の濃度等を表したレーベル色情報を入手するディスク情報入手部６３０と、レーベル画像についての所望の濃度を取得する画像濃度取得部６４０と、レーベル画像の描画に先立って、レーベル画像を、原画像とレーベル色情報と所望の濃度とに基づいて再現したプレビュー画像を作成する画像処理部６５０と、そのプレビュー画像を表示する表示部６６０とを備えた。【選択図】        図６
2007272951.tif 000002
【特許請求の範囲】
【請求項１】
データが光で記録されるデータ面と、該データ面の記録内容を視覚的に確認するためのレーベル画像が光で描画されるレーベル面とを有する記録メディアに描画されるレーベル画像の元となる原画像を入手する原画像入手部と、
前記原画像入手部で入手された原画像に基づいて前記レーベル画像を前記記録メディアに描画するレーベル画像描画部と、
前記記録メディアのレーベル面上で描画可能な描画色を表した描画色情報を入手する描画色情報入手部と、
前記レーベル画像描画部によるレーベル画像の描画に先立って、該レーベル画像を、前記原画像と前記描画色情報とに基づいて再現するレーベル画像再現部とを備えたことを特徴とするレーベル画像描画装置。
【請求項２】
前記レーベル画像描画部は、前記原画像がカラー画像である場合に、その原画像をモノクロ化してモノクロ原画像を作成し、そのモノクロ原画像に基づいて前記レーベル画像を描画するものであることを特徴とする請求項１記載のレーベル画像描画装置。
【請求項３】
前記描画色情報入手部が、前記描画色情報として、前記レーベル面における最大濃度色と最小濃度色とを表した情報を入手するものであることを特徴とする請求項１記載のレーベル画像描画装置。
【請求項４】
前記描画色情報入手部が、前記描画色情報として、前記レーベル面における最大濃度色と最小濃度色とを表した情報を入手するものであり、
前記レーベル画像再現部が、前記レーベル画像を、前記最大濃度色と前記最小濃度色の間の濃度色で再現するものであることを特徴とする請求項１記載のレーベル画像描画装置。
【請求項５】
コンピュータに組み込まれ、該コンピュータ上に、
データが光で記録されるデータ面と、該データ面の記録内容を視覚的に確認するためのレーベル画像が光で描画されるレーベル面とを有する記録メディアに描画されるレーベル画像の元となる原画像を入手する原画像入手部と、
前記原画像入手部で入手された原画像に基づいて前記レーベル画像を前記記録メディアに描画するレーベル画像描画部と、
前記記録メディアのレーベル面上で描画可能な描画色を表した描画色情報を入手する描画色情報入手部と、
前記レーベル画像描画部によるレーベル画像の描画に先立って、該レーベル画像を、前記原画像と前記描画色情報とに基づいて再現するレーベル画像再現部とを構築することを特徴とするレーベル画像描画プログラム。
【請求項６】
データが光で記録されるデータ面と、該データ面の記録内容を視覚的に確認するためのレーベル画像が光で描画されるレーベル面とを有する記録メディアに描画されるレーベル画像の元となる原画像を入手する原画像入手過程と、
前記原画像入手過程で入手された原画像に基づいて前記レーベル画像を前記記録メディアに描画するレーベル画像描画過程と、
前記記録メディアのレーベル面上で描画可能な描画色を表した描画色情報を入手する描画色情報入手過程と、
前記レーベル画像描画過程によるレーベル画像の描画に先立って、該レーベル画像を、前記原画像と前記描画色情報とに基づいて再現するレーベル画像再現過程とを備えたことを特徴とするレーベル画像描画方法。
【発明の詳細な説明】
【技術分野】
【０００１】
本発明は、データが記録されるデータ面と、該データ面の記録内容を視覚的に確認するためのレーベル画像が描画されるレーベル面とを有する記録メディアのレーベル面にレーベル画像を描画するレーベル画像描画装置、コンピュータをそのようなレーベル画像描画装置として動作させるレーベル画像描画プログラム、および、上記の記録メディアのレーベル面にレーベル画像を描画するレーベル画像描画方法に関する。
【背景技術】
【０００２】
近年、画像データ、動画データ、音声データ、およびテキストデータ等といった様々なデータ種類のデータを記録する記録メディアとして、例えばＣＤ−Ｒ（Ｃｏｍｐａｃｔ  Ｄｉｓｋ  Ｒｅｃｏｒｄａｂｌｅ）やＣＤ−ＲＷ（Ｃｏｍｐａｃｔ  Ｄｉｓｋ  Ｒｅｗｒｉｔａｂｌｅ）やＤＶＤ（Ｄｉｇｉｔａｌ  Ｖｅｒｓａｔｉｌｅ  Ｄｉｓｋ）等が普及している。このような記録メディアの多くは、データが記録されるデータ面と、そのデータ面とは反対側の面であって、例えば音声データが表わす音楽の曲名や作曲者等といった、データ面の記録内容を視覚的に確認するためのレーベル画像が描画されるレーベル面とを有している。
【０００３】
レーベル面にレーベル画像を描画する方法としては、例えば、レーベル画像がインクジェットプリンタ等を使って印刷されたシールをレーベル面に貼付することで、レーベル面にレーベル画像を間接的に描画する方法や、レーベル画像をインクジェットプリンタ等を使ってレーベル面に直接に描画する方法等が挙げられる。また、データ面へデータを記録する技術を応用して、レーベル画像を、レーベル面ではなくデータ面の一部に描画するという技術も知られている。
【０００４】
ここで、近年、記録メディアのデータ面へのデータの記録に使う光と同じ光でレーベル面にレーベル画像を描画するという技術が提案されている。このような技術によれば、データの記録とレーベル画像の描画とを一台の装置で行う等といった便利な運用が可能となる。また、この技術は、レーベル面全体をレーベル画像の描画に用いることができる点で、データ面の一部をレーベル画像の描画に用いるという上記の技術に比べても有利である。
【０００５】
ところで、レーベル画像を実際にレーベル面に描画する前には、レーベル面に描画された状態のレーベル画像を再現したプレビュー画像を、確認のために所定のモニタに表示するプレビュー表示を実行することが望ましい。例えば、レーベル画像をインクジェットプリンタ等を使って印刷するという上記の技術や、データ面の一部をレーベル画像の描画に用いるという技術では、それぞれ適宜にレーベル画像のプレビュー表示が行われている（例えば、特許文献１、又は、特許文献２参照。）。
【特許文献１】特開２００４−３４２０４５号公報
【特許文献２】特開２００１−２８３４７０号公報
【発明の開示】
【発明が解決しようとする課題】
【０００６】
データの記録に使う光と同じ光でレーベル面にレーベル画像を描画するという技術においても事前のプレビュー表示が望ましいことは同様であるが、上記の特許文献に示されているプレビュー表示の技術を単純に適用しただけでは、データの記録に使う光と同じ光でレーベル面に描画されるレーベル画像の再現が不正確となり、プレビューに適さないという問題がある。
【０００７】
本発明は、上記事情に鑑み、レーベル画像が再現された好ましいプレビュー画像を得ることができるレーベル画像描画装置、コンピュータをそのようなレーベル画像描画装置として動作させるレーベル画像描画プログラム、および、レーベル画像が再現された好ましいプレビュー画像を得ることができるレーベル画像描画方法を提供することを目的とする。
【課題を解決するための手段】
【０００８】
上記目的を達成する本発明のレーベル画像描画装置は、データが光で記録されるデータ面と、そのデータ面の記録内容を視覚的に確認するためのレーベル画像が光で描画されるレーベル面とを有する記録メディアに描画されるレーベル画像の元となる原画像を入手する原画像入手部と、
上記原画像入手部で入手された原画像に基づいて上記レーベル画像を上記記録メディアに描画するレーベル画像描画部と、
上記記録メディアのレーベル面上で描画可能な描画色を表した描画色情報を入手する描画色情報入手部と、
上記レーベル画像描画部によるレーベル画像の描画に先立って、そのレーベル画像を、上記原画像と上記描画色情報とに基づいて再現するレーベル画像再現部とを備えたことを特徴とする。
【０００９】
一般に、データの記録に使う光と同じ光でレーベル画像が描画されるレーベル面を有する記録メディアでは、レーベル面に描画可能な描画色は決まっており、レーベル画像は、その描画色のモノクロで描かれる。その結果、このような記録メディアのレーベル面に描画されるレーベル画像は、そのレーベル画像の元となる原画像とは見た目の印象が異なったものとなる。このため、プレビュー表示の際には、レーベル画像が、上記の描画色も含めて正確に再現されたプレビュー画像が表示されることが望ましい。上記の本発明のレーベル画像描画装置によれば、レーベル面に描画可能な描画色を表した描画色情報が入手され、レーベル画像の実際の描画に先立って、そのレーベル画像が、レーベル画像の元となる上記原画像と上記描画色情報とに基づいて再現されるので、描画色も含めてレーベル画像が再現された好ましいプレビュー画像を得ることができる。
【００１０】
ここで、本発明のレーベル画像描画装置において、「上記レーベル画像描画部は、上記原画像がカラー画像である場合に、その原画像をモノクロ化してモノクロ原画像を作成し、そのモノクロ原画像に基づいて上記レーベル画像を描画するものである」という形態は好ましい形態である。
【００１１】
上記原画像がカラー画像である場合には、特に原画像とレーベル画像との間で印象が大きく異なるので、上記レーベル画像再現部が行なう上記原画像と上記描画色情報とに基いた再現の効果がより顕著に発揮される。
【００１２】
また、本発明のレーベル画像描画装置において、「上記描画色情報入手部が、上記描画色情報として、上記レーベル面における最大濃度色と最小濃度色とを表した情報を入手するものである」という形態は好ましい形態である。
【００１３】
この好ましい形態のレーベル画像描画装置によれば、上記のように描画色のモノクロで描かれた状態のレーベル画像における最大濃度色と最小濃度色とが得られるので、そのようなレーベル画像を一層忠実に再現することができる。
【００１４】
また、本発明のレーベル画像描画装置において、「上記描画色情報入手部が、上記描画色情報として、上記レーベル面における最大濃度色と最小濃度色とを表した情報を入手するものであり、
上記レーベル画像再現部が、上記レーベル画像を、上記最大濃度色と上記最小濃度色の間の濃度色で再現するものである」という形態も好ましい形態である。
【００１５】
この好ましい形態のレーベル画像描画装置によれば、上記濃度色による再現によって、上記レーベル画像を濃度も含めて一層忠実に再現することができる。
【００１６】
また、上記目的を達成する本発明のレーベル画像描画プログラムは、コンピュータに組み込まれ、そのコンピュータ上に、
データが光で記録されるデータ面と、そのデータ面の記録内容を視覚的に確認するためのレーベル画像が光で描画されるレーベル面とを有する記録メディアに描画されるレーベル画像の元となる原画像を入手する原画像入手部と、
上記原画像入手部で入手された原画像に基づいて上記レーベル画像を上記記録メディアに描画するレーベル画像描画部と、
上記記録メディアのレーベル面上で描画可能な描画色を表した描画色情報を入手する描画色情報入手部と、
上記レーベル画像描画部によるレーベル画像の描画に先立って、そのレーベル画像を、上記原画像と上記描画色情報とに基づいて再現するレーベル画像再現部とを構築することを特徴とする。
【００１７】
この本発明のレーベル画像描画プログラムによれば、上述した、好ましいプレビュー画像を得ることができるレーベル画像描画装置を容易に実現することができる。
【００１８】
また、上記目的を達成する本発明のレーベル画像描画方法は、データが光で記録されるデータ面と、そのデータ面の記録内容を視覚的に確認するためのレーベル画像が光で描画されるレーベル面とを有する記録メディアに描画されるレーベル画像の元となる原画像を入手する原画像入手過程と、
上記原画像入手過程で入手された原画像に基づいて上記レーベル画像を上記記録メディアに描画するレーベル画像描画過程と、
上記記録メディアのレーベル面上で描画可能な描画色を表した描画色情報を入手する描画色情報入手過程と、
上記レーベル画像描画過程によるレーベル画像の描画に先立って、そのレーベル画像を、上記原画像と上記描画色情報とに基づいて再現するレーベル画像再現過程とを備えたことを特徴とする。
【００１９】
この本発明のレーベル画像描画方法によれば、上述した好ましいプレビュー画像を容易に得ることができる。
【００２０】
尚、本発明のレーベル画像描画プログラムおよび本発明のレーベル画像描画方法については、ここではその基本形態のみを示すのにとどめるが、これは単に重複を避けるためであり、本発明にいうレーベル画像描画プログラムおよびレーベル画像描画方法には、前述したレーベル画像描画装置の各形態に対応する各種の形態が含まれる。
【発明の効果】
【００２１】
以上、説明したように、本発明によれば、レーベル画像が再現された好ましいプレビュー画像を得ることができるレーベル画像描画装置、コンピュータをそのようなレーベル画像描画装置として動作させるレーベル画像描画プログラム、および、レーベル画像が再現された好ましいプレビュー画像を得ることができるレーベル画像描画方法を得ることができる。
【発明を実施するための最良の形態】
【００２２】
以下図面を参照して本発明の実施の形態を説明する。
【００２３】
図１は、本発明のレーベル画像描画装置の一実施形態として動作するコンピュータシステムの外観斜視図である。
【００２４】
この図１に示すコンピュータシステム１０は、パーソナルコンピュータ１００と、そのパーソナルコンピュータ１００に接続されたＤＶＤドライブ２００とで構成されている。
【００２５】
パーソナルコンピュータ１００は、外観構成上、本体装置１１０、その本体装置１１０からの指示に応じて表示画面１２１上に画像を表示する画像表示装置１２０、本体装置１１０に、キー操作に応じた各種の情報を入力するキーボード１３０、および、表示画面１２１上の任意の位置を指定することにより、その位置に表示された、例えばアイコンなどに応じた指示を入力するマウス１４０を備えている。この本体装置１１０は、外観上、フレキシブルディスク（以下、ＦＤと省略する）を装填するためのＦＤ装填口１１０ａ、およびＣＤ−ＲＯＭを装填するためのＣＤ−ＲＯＭ装填口１１０ｂを有する。
【００２６】
ＤＶＤドライブ２００は、外観上、ＤＶＤを装填するためのＤＶＤ装填口２００ａを有する。このＤＶＤドライブ２００は、データが光で記録されるデータ面と、その光でレーベル画像が描画されるレーベル面とを有するレーベル描画型のＤＶＤ３００に対応したものであり、このようなＤＶＤ３００に対する、レーザ光によるデータ面へのデータの記録と、そのレーザ光によるレーベル面へのレーベル画像の描画とを実行する機能を有している。このＤＶＤドライブ２００では、データの記録の際には、ＤＶＤ３００は、データ面が図中で下向きにされて装填され、レーベル画像の描画の際には、逆に、レーベル面が下向きにされて装填される。ここで、上記のレーベル描画型のＤＶＤ３００が、本発明にいう記録メディアの一例に相当する。
【００２７】
以下、このＤＶＤドライブ２００の内部構成について説明する。
【００２８】
図２は、図１に示すＤＶＤドライブ２００の内部構成を示すハードウェアブロック図である。
【００２９】
この図２に示すＤＶＤドライブ２００は、光ピックアップ２０１、スピンドルモータ２０２、回転検出器２０３、ＲＦ（Ｒａｄｉｏ  Ｆｒｅｑｕｅｎｃｙ）アンプ２０４、デコーダ２０５、サーボ回路２０６、ステッピングモータ２０７、モータドライバ２０８、インタフェース回路２０９、バッファメモリ２１０、エンコーダ２１１、ストラテジ回路２１２、フレームメモリ２１３、データ変換器２１４、レーザパワー自動制御（Ａｕｔｍａｔｉｃ  Ｌａｓｅｒ  Ｐｏｗｅｒ  Ｃｏｎｔｒｏｌ：ＡＬＰＣ）回路２１５、レーザドライバ２１６、および制御回路２１７を備えている。このＤＶＤドライブ２００は、図１にも示すパーソナルコンピュータ１００に、インタフェース回路２０９を介して接続されている。
【００３０】
まず、このＤＶＤドライブ２００における、ＤＶＤ３００へのデータの記録について説明する。
【００３１】
上述したようにこのＤＶＤドライブ２００は、レーベル描画型のＤＶＤに対応した装置であり、このＤＶＤドライブ２００に装填されるＤＶＤ３００は、データが光で記録されるデータ面と、その光でレーベル画像が描画されるレーベル面とを有している。
【００３２】
データの記録時には、ＤＶＤ３００は、データ面が光ピックアップ２０１と対向するように、データ面を下に向けてＤＶＤドライブ２００に装填される。装填されたＤＶＤ３００は、不図示の保持機構で保持された状態で、スピンドルモータ２０２によって回転駆動される。また、このときには、記録に最適な回転速度が制御回路２１７からサーボ回路２０６に伝えられる。さらに、スピンドルモータ２０２の回転速度が回転検出器２０３によって検出され、その回転検出器２０３からその回転速度を表わす速度信号もサーボ回路２０６に伝えられる。サーボ回路２０６は、両者を比較し、速度信号が表わす回転速度が、上記の最適な回転速度となるようにスピンドルモータ２０２の回転速度を制御する。
【００３３】
このように制御されたされた回転速度で回転するＤＶＤ３００のデータ面に対して、後述するように光ピックアップ２０１からレーザ光が照射されることで、そのデータ面にデータが記録される。光ピックアップ２０１は、レーザダイオード、受光素子、および集光レンズ等からなる光学系を有しており、データの記録は、レーザダイオードが発し集光レンズで集光されたレーザ光によって行なわれる。また、光ピックアップ２０１は、集光されたレーザ光のデータ面上での微小な位置決めを行なうサーボ機構や、集光レンズに対するフォーカス制御を行なうフォーカス機構を有している。これらの機構の動作が、制御回路２１７からの指示に従ったサーボ回路２０６によって制御され、正確に集光されたレーザ光が、ＤＶＤ３００のデータ面上の目標位置に正確に照射される。このとき、記録に最適なレーザ光強度が制御回路２１７からＡＬＰＣ回路２１５に伝えられる。また、光ピックアップ２０１は、レーザダイオードが発するレーザ光の強度をモニタするセンサを有しており、レーザダイオードがレーザ光を発する際には、このセンサによってモニタされたレーザ光の強度もＡＬＰＣ回路２１５に伝えられる。ＡＬＰＣ回路２１５は、両者を比較し、レーザダイオードが発するレーザ光の強度を上記の最適なレーザ光強度に一致させるための制御信号をレーザドライバ２１６に送る。
【００３４】
ここで、ＤＶＤ３００に記録されるデータは、インタフェース回路２０９を介してパーソナルコンピュータ１００から供給され、バッファメモリ２１０に一時的に記憶される。そして、このバッファメモリ２１０内のデータは、エンコーダ２１１によって適宜に読み出され、所定の符号化処理によってＤＶＤ３００への記録に適した符号化データに変換される。この符号化データはストラテジ回路２１２に供給され、このストラテジ回路２１２によって、時間軸補正等の補正処理が施された後に、レーザドライバ２１６に供給される。
【００３５】
レーザドライバ２１６は、光ピックアップ２０１のレーザダイオードを、この補正処理を経た符号化データに従って駆動する駆動信号を生成してその光ピックアップ２０１に送る。そして、光ピックアップ２０１が、上記の符号化データに従って変調されたレーザ光をデータ面に照射することで、その符号化データが、レーザ光の照射によって生じるマークでデータ面に記録されることとなる。ここで、レーザドライバ２１６は、上記の駆動信号を生成する際には、その駆動信号に、ＡＬＰＣ回路２１５から送られた制御信号を反映させるので、データの記録が、常に、最適なレーザ光強度で行なわれることとなる。
【００３６】
次に、このＤＶＤドライブ２００における、ＤＶＤ３００に記録されたデータの再生について説明する。
【００３７】
このデータの再生の際にも、ＤＶＤ３００は、データ面が光ピックアップ２０１に対向するように装填され、スピンドルモータ２０２によって最適な回転速度で回転される。
【００３８】
データの再生時には、光ピックアップ２０１のレーザダイオードが発しＤＶＤ３００のデータ面で反射されたレーザ光が、この光ピックアップ２０１の受光素子で受光される。このとき、ＤＶＤ３００のデータ面で反射されたレーザ光の強度は、そのデータ面における上記のマークの有無に従って変化する。マークの有無は上記の符号化データに対応しているので、データ面で反射されたレーザ光が受光素子で受光されることによって得られる受光データは、そのデータ面に記録されている符号化データと同等な符号化データとなる。受光素子で得られた受光データは、ＲＦアンプ２０４によって増幅され、デコーダ２０５に送られる。デコーダ２０５は、その送られた受光データに所定の復号化処理を施すことによって、その受光データからデータを再生して制御回路２１７に送る。制御回路２１７は、その再生されたデータをインタフェース回路２０９を介してパーソナルコンピュータ１００に送る。
【００３９】
次に、このＤＶＤドライブ２００における、ＤＶＤ３００へのレーベル画像の描画について説明する。
【００４０】
上述したように、このＤＶＤドライブ２００に装填されるＤＶＤ３００は、データ面に対するデータの記録に使われた光でレーベル画像が描画されるレーベル面を有している。ここで、このレーベル面へのレーベル画像の描画には、データの記録を行う光ピックアップ２０１が使われる。そこで、レーベル画像の描画が行われる際には、ＤＶＤ３００は、レーベル面が光ピックアップ２０１に対向するように、このレーベル面を下に向けて装填されることとなる。
【００４１】
レーベル画像を表わす画像データは、インタフェース回路２０９を介してパーソナルコンピュータ１００から供給され、フレームメモリ２１３に一時的に記憶される。そして、このフレームメモリ２１３内の画像データは、データ変換器２１４によって適宜に読み出され、その画像データが表わすレーベル画像を階調値で表現した階調画像データに変換される。この階調画像データが、レーザドライバ２１６に供給される。そして、レーザドライバ２１６が、光ピックアップ２０１のレーザダイオードを、この階調画像データに従って駆動する駆動信号を生成する。
【００４２】
ここで、本実施形態で使用されるＤＶＤ３００のレーベル面は光が照射されると、その光に反応して照射された部分が薄まるレーベル色を有している。そして、このレーベル色の薄まりは、光の照射回数が多いほど強まる。本実施形態では、階調画像データが表わすレーベル画像の各部の階調値に従って、上記の駆動信号によって適宜にオン／オフされるレーザ光で、回転駆動されているＤＶＤ３００のレーベル面が繰返し走査される。その結果、レーベル面における、レーベル画像の各部に対応する部分に、そのレーベル画像の各部の階調値に応じた回数でレーザ光が照射される。これにより、レーベル面の各部分のレーベル色が適宜に薄められてレーベル画像が描画されることとなる。
【００４３】
ＤＶＤドライブ２００は、以上に説明した構成となっている。
【００４４】
次に、レーベル画像のプレビュー表示について説明する。
【００４５】
本実施形態では、このプレビュー表示が、ＤＶＤドライブ２００に接続されたパーソナルコンピュータ１００が、本発明のレーベル画像描画装置の一実施形態として動作し、本発明のレーベル画像描画方法の一実施形態が実行されることで行なわれる。
【００４６】
図３は、図１および図２に示すパーソナルコンピュータ１００のハードウェア構成図である。
【００４７】
このパーソナルコンピュータ１００の本体装置１１０（図１参照）の内部には、図３に示すように、各種プログラムを実行するＣＰＵ１１１、ハードディスク装置１１３に格納されたプログラムが読み出されＣＰＵ１１１での実行のために展開される主メモリ１１２、各種プログラムやデータなどが保存されたハードディスク装置１１３、ＦＤ４１０をアクセスするＦＤドライブ１１４、ＣＤ−ＲＯＭ４２０が装填され、その装填されたＣＤ−ＲＯＭ４２０をアクセスするＣＤ−ＲＯＭドライブ１１５、図１のＤＶＤドライブ２００に接続されデータのやり取りを行なうＩ／Ｏインタフェース１１６が内蔵されており、これらの各種要素と、さらに図１にも示す画像表示装置１２０、キーボード１３０、マウス１４０は、バス１１７を介して相互に接続されている。
【００４８】
ここで、上記のＣＤ−ＲＯＭ４２０には、パーソナルコンピュータ１００を、本発明のレーベル画像描画装置の一実施形態として動作させ、このパーソナルコンピュータ１００に本発明のレーベル画像描画方法の一実施形態を実行させるための、本発明のレーベル画像描画プログラムの一実施形態が記憶されている。
【００４９】
そして、そのＣＤ−ＲＯＭ４２０がＣＤ−ＲＯＭドライブ１１５に装填されると、そのＣＤ−ＲＯＭ４２０に記憶されたプログラムがこのパーソナルコンピュータ１００にアップロードされてハードディスク装置１１３に書き込まれる。これにより、パーソナルコンピュータ１００はレーベル画像描画装置として動作して、レーベル画像描画方法を実行する。
【００５０】
次に、本発明のレーベル画像描画プログラムの一実施形態について説明する。
【００５１】
図４は、本発明のレーベル画像描画プログラムの一実施形態が記憶されたＣＤ−ＲＯＭ４２０を示す概念図である。
【００５２】
図４に示すＣＤ−ＲＯＭ４２０は、本発明のレーベル画像描画プログラムの一実施形態であるレーベル画像描画プログラム５００が記憶されている。
【００５３】
このレーベル画像描画プログラム５００は、原画像入手部５１０、レーベル画像描画部５２０、ディスク情報取得部５３０、画像濃度取得部５４０、画像処理部５５０、および表示部５６０で構成されている。
【００５４】
このレーベル画像描画プログラム５００の各部の詳細については、本発明のレーベル画像描画装置の一実施形態の各部の作用と併せて説明する。
【００５５】
次に、本発明のレーベル画像描画方法の一実施形態について説明する。
【００５６】
図５は、本発明のレーベル画像描画方法の一実施形態を示すフローチャートである。
【００５７】
このレーベル画像描画方法は、本発明の一実施形態として動作している図１に示すコンピュータシステム１００で実行されるものであり、原画像入手過程（ステップＳ１１）と、描画色情報入手過程（ステップＳ１２）と、レーベル画像再現過程（ステップＳ１３）と、レーベル画像描画過程（ステップＳ１４）とを有している。ここで、原画像入手過程（ステップＳ１１）、描画色情報入手過程（ステップＳ１２）、レーベル画像再現過程（ステップＳ１３）、およびレーベル画像描画過程（ステップＳ１４）は、それぞれ本発明のレーベル画像描画方法における原画像入手過程（ステップＳ１１）と、描画色情報入手過程（ステップＳ１２）と、レーベル画像再現過程（ステップＳ１３）と、レーベル画像描画過程（ステップＳ１４）とを有している。ここで、原画像入手過程、描画色情報入手過程、レーベル画像再現過程、およびレーベル画像描画過程の各一例に相当する。
【００５８】
このレーベル画像描画方法の各過程の詳細については、本発明のレーベル画像描画装置の一実施形態の各部の作用と併せて説明する。
【００５９】
尚、以下の説明では、上記の図４および図５に示す要素については特に図番を断らずに図中の符号を使って参照する。
【００６０】
図６は、本発明のレーベル画像描画装置の一実施形態を示すブロック図である。
【００６１】
この図６に示す、本発明のレーベル画像描画装置の一実施形態であるレーベル画像描画装置６００は、図４のレーベル画像描画プログラム５００が図１のパーソナルコンピュータ１００にインストールされて実行されることによって構成されるものであり、原画像入手部６１０、レーベル画像描画部６２０、ディスク情報取得部６３０、画像濃度取得部６４０、画像処理部６５０、および表示部６６０を有する。
【００６２】
図４のレーベル画像描画プログラム５００が、図１のパーソナルコンピュータ１００にインストールされると、そのレーベル画像描画プログラム５００の原画像入手部５１０、レーベル画像描画部５２０、ディスク情報取得部５３０、画像濃度取得部５４０、画像処理部５５０、および表示部５６０は、それぞれ図６に示すレーベル画像描画装置６００の原画像入手部６１０、レーベル画像描画部６２０、ディスク情報取得部６３０、画像濃度取得部６４０、画像処理部６５０、および表示部６６０を構築する。ここで、これらレーベル画像描画装置６００の各要素は、コンピュータのハードウェアとそのコンピュータで実行されるＯＳやアプリケーションプログラムとの組合せで構成されているのに対し、図４のレーベル画像描画プログラム５００の各要素は、アプリケーションプログラムのみによって構成されている。また、このレーベル画像描画装置６００における原画像入手部６１０およびレーベル画像描画部６２０では、それぞれ図５に示すレーベル画像描画方法における原画像入手過程（ステップＳ１１）およびレーベル画像描画過程（ステップＳ１４）が実行される。また、ディスク情報取得部６３０と画像濃度取得部６４０とを合わせたものでは、描画色情報入手過程（ステップＳ１２）が実行され、画像処理部６５０と表示部６６０とを合わせたものでは、レーベル画像再現部（ステップＳ１３）が実行される。
【００６３】
ここで、このレーベル画像描画装置６００における原画像入手部６１０およびレーベル画像描画部６２０は、それぞれ本発明にいう原画像入手部およびレーベル画像描画部の各一例に相当する。また、ディスク情報取得部６３０と画像濃度取得部６４０とを合わせたものは、本発明にいう描画色情報入手部の一例に相当し、画像処理部６５０と表示部６６０とを合わせたものは、本発明にいうレーベル画像再現部の一例に相当する。
【００６４】
以下、この図６に示すレーベル画像描画装置６００の各要素を説明することによって、図４に示すレーベル画像描画プログラム５００の各要素、および図５に示すレーベル画像描画方法の各過程も併せて説明する。
【００６５】
レーベル画像描画装置６００の原画像入手部６１０では、レーベル面に描画されるレーベル画像の元となる原画像を表す原画像データが取得される。ここで、本実施形態では、原画像入手部６１０は、この原画像データとして、色をＲ（レッド）、Ｇ（グリーン）、Ｂ（ブルー）３色で定義するＲＧＢデータの形式で原画像を表わす画像データを取得する。
【００６６】
レーベル画像描画部６２０では、原画像入手部６１０が入手した原画像データが、その原画像データが表わす原画像を明度値のみで表現したモノクロ画像データに変換され（本発明にいうモノクロ化の一例に相当）、そのモノクロ画像データが表わすモノクロの画像がＤＶＤ３００のレーベル面に描かれる。また、ＤＶＤ３００のレーベル面はレーベル色を有しており、このレーベル面への画像の描画はそのレーベル色を適宜に薄めることで行われる。これにより、このレーベル色のモノクロ画像で描かれたレーベル画像が得られる。
【００６７】
ディスク情報取得部６３０では、レーベル画像の描画対象であるＤＶＤ３００について、そのＤＶＤ３００のレーベル面のレーベル色と、そのレーベル色の薄められる前の濃度（最大濃度）と、そのレーベル色が最大限に薄められたときの濃度（最小濃度）とが次のように取得される。
【００６８】
まず、本実施形態では、ＤＶＤ３００には、レーベル面における、ＤＶＤ保持用の孔の周辺部分に、このＤＶＤ３００の製造メーカの名称や製品名称や型番等といった、このＤＶＤ３００に係わる様々な情報が製造時に予め書き込まれたディスクインフォメーション部３０１が設けられている。
【００６９】
ディスク情報取得部６３０は、このＤＶＤ３００がレーベル面を下向きにしてＤＶＤドライブ２００（図１および図２参照）に装填されると、ＤＶＤ３００のディスクインフォメーション部３０１に書き込まれている情報を読み出す。そして、その読み出した情報の中から、ＤＶＤ３００の型番を抽出する。そして、ディスク情報取得部６３０は、ディスク情報取得部６３０がデータ形式で有している次のようなレーベル色情報テーブルから、その抽出した型番を使って、レーベル面のレーベル色と最大濃度と最小濃度とを表わすレーベル色情報を取得する。
【００７０】
図７は、レーベル色情報テーブルを示す模式図である。
【００７１】
この図７に示すレーベル色情報テーブル６２１は、レーベル色と最大濃度と最小濃度とを表わすレーベル色情報およびＤＶＤ３００の型番を互いに対応付けるテーブルであり、型番表記欄６２１ａ、レーベル色表記欄６２１ｂ、最大濃度表記欄６２１ｃ、および最小濃度表記欄６２１ｄを有している。ここで、このレーベル色情報が、本発明にいう描画色情報の一例に相当し、最大濃度のレーベル色および最小濃度のレーベル色は、それぞれ本発明にいう最大濃度色および最小濃度色の各一例に相当する。
【００７２】
このレーベル色情報テーブル６２１では、レーベル色表記欄６２１ｂには、レーベル色をＲＧＢデータの形式で表わすレーベル色データが記されている。また、最大濃度表記欄６２１ｃ、および最小濃度表記欄６２１ｄには、それぞれ最大濃度Ｌｍａｘおよび最小濃度Ｌｍｉｎが明度値で記されている。ここで、上記のＲＧＢデータを構成するＲ値、Ｇ値、Ｂ値それぞれと、上記の明度値は、いずれも「０」から「２５５」までの範囲内の値となっている。
【００７３】
図６に示すディスク情報取得部６３０は、ＤＶＤ３００の型番を得ると、図７に示すレーベル色情報テーブル６２１から、その型番に対応する、レーベル色データ、最大濃度Ｌｍａｘ、および最小濃度Ｌｍｉｎを取得する。
【００７４】
画像濃度取得部６４０では、レーベル画像の描画における、濃度のダイナミックレンジの下限が、不図示の操作画面に対するユーザ操作によって取得される。一方、本実施形態では、このダイナミックレンジの上限は上記の最大濃度Ｌｍａｘに固定されている。画像濃度取得部６４０では、このダイナミックレンジの下限を、上記の最大濃度Ｌｍａｘから最小濃度Ｌｍｉｎまでの間の５０段階の濃度の中から選ぶことができる。ここで、この下限が最小濃度Ｌｍｉｎに近いほど、描画されたレーベル画像は見た目にコントラストがはっきりとした画像となる。一方で、下限が最小濃度Ｌｍｉｎに近いほど、描画時における、レーベル面に対するレーザ光の照射回数が多くなり、描画に要する時間が長くなる。ユーザは、これら２つの条件を勘案してダイナミックレンジの下限を選択することとなる。
【００７５】
以上説明したように、原画像入手部６１０で原画像データが取得され、ディスク情報取得部６３０でレーベル色情報が取得され、画像濃度取得部６４０でダイナミックレンジの下限が取得されると、画像処理部６５０が、レーベル画像を再現したレーベル再現データを、以下に説明する処理によって作成する。そして、表示部６６０が、その作成されたレーベル再現データが表わす画像をプレビュー画像として表示する。
【００７６】
図８は、プレビュー画像が表示されるまでの処理の流れを示すフローチャートである。
【００７７】
このフローチャートが示す処理は、原画像データ、レーベル色情報、および、ダイナミックレンジの下限が得られると、図６の画像処理部６５０においてスタートする。
【００７８】
処理がスタートすると、まず、原画像データに対して、以下に説明する白黒化が実行される（ステップＳ１０１）。
【００７９】
ここで、上述したように原画像データは、原画像をＲＧＢデータの形式で表わすものである。
【００８０】
ステップＳ１０１の白黒化では、原画像の画素毎に、Ｒ値とＧ値とＢ値との平均値が算出される。各画素について算出された平均値はその画素の明度値であるので、この算出により、原画像を明度値で表わした白黒画像データが得られる。
【００８１】
図９は、白黒画像データで表わされた原画像における明度値の分布を示すヒストグラムの一例を示す図である。
【００８２】
この図９には、横軸が明度に対応し、縦軸が、原画像における各明度値の頻度に対応するヒストグラムＨ１が示されている。この図９の例は、明度値が「０」から「２５５」の範囲内に分布の欠けがない例となっている。
【００８３】
図８のステップＳ１０１において、白黒画像データが得られると、次に、その白黒画像データに対して、上記の最大濃度、最小濃度、およびダイナミックレンジの下限を用いた次のような正規化が施される（ステップＳ１０２）。
【００８４】
図１０は、白黒画像データに対する正規化の一例を示す図である。
【００８５】
この図１０のパート（ａ）には、上記の最大濃度、最小濃度、およびダイナミックレンジの下限を、明度値で互いに比較した図が示されており、パート（ｂ）には、正規化後のヒストグラムＨ２が示されている。
【００８６】
最大濃度は、上述したように全く薄まっていない状態のレーベル色の濃度であるので、この最大濃度に対応する明度値Ｉ０は、図１０のパート（ａ）に示すようにシャドウ側の値となる。ただし、レーベル色は「０」の明度値に相当する完全な黒色ではないので、この最大濃度に対応する明度値Ｉ０は「０」よりは大きな値となる。一方、最小濃度は、上述したようにレーベル色が最大限薄まった時の濃度であるので、この最小濃度に対応する明度値Ｉ５０は、ハイライト側の値となる。ただし、レーベル色は「２５５」の明度値に相当する完全な白色ではないので、この最大濃度に対応する明度値Ｉ０は「２５５」よりは小さな値となる。また、上記のダイナミックレンジの下限は、最大濃度から最小濃度までの間の５０段階の濃度の中から選ばれるので、その下限に対応する明度値ＩＮは、最大濃度に対応する明度値Ｉ０と最小濃度に対応する明度値Ｉ５０との間の５０段階の明度値のうちのいずれかになる。この下限に対応する明度値ＩＮは、レーベル面に描画されたレーベル画像において取り得る、実際の最小濃度に対応する明度値に相当する。
【００８７】
図８のステップＳ１０８の正規化は、白黒画像データにおける、例えば図９に示すように「０」から「２５５」の間に分布している明度値を、明度値間の相対関係を維持したまま、最大濃度に対応する明度値Ｉ０からダイナミックレンジの下限に対応する明度値ＩＮの範囲内に収めることで行われる。図１０のパート（ｂ）には、そのような正規化済みの白黒画像データにおける明度値のヒストグラムＨ２が示されている。このパート（ｂ）から分かるように、正規化済みの白黒画像データにおける明度値のヒストグラムＨ２は、図９に示すヒストグラムＨ１における明度値と頻度との相対関係が維持されたものとなる。
【００８８】
このような正規化が終了すると、次に、その正規化済みの白黒画像データが、レーベル画像をＲＧＢデータの形式で再現するレーベル再現データに変換される（ステップＳ１０３）。
【００８９】
図１１は、白黒画像データからレーベル再現データへの変換の一例を示す図である。
【００９０】
図１１のパート（ａ）には、上記のＲＧＢデータにおけるＲ値についてのヒストグラムＨＲが示されており、パート（ｂ）には、Ｇ値についてのヒストグラムＨＧが示されており、パート（ｃ）には、Ｂ値についてのヒストグラムＨＢが示されている。
【００９１】
白黒画像データからレーベル再現データへの変換では、まず、ＲＧＢ各色について、レーベル画像中で取り得る最大明度と最小明度とが求められる。レーベル再現データのＲ値、Ｇ値、Ｂ値は、それぞれ各色の明度値であるので、ＲＧＢ３色それぞれについての最大明度ＩＭＲ，ＩＭＧ，ＩＭＢ、および最小明度Ｉ０Ｒ，Ｉ０Ｇ，Ｉ０Ｂは、上記の正規化済みの白黒画像データにおける最大明度ＩＮおよび最小明度Ｉ０と、上記のレーベル色データにおけるＲ値（ＲＮ）、Ｇ値（ＧＮ）、Ｂ値（ＢＮ）を使って、それぞれ次の式で算出される。
【００９２】
ＩＭＲ＝（ＲＮ／２５５）×ＩＮ
ＩＭＧ＝（ＧＮ／２５５）×ＩＮ
ＩＭＢ＝（ＢＮ／２５５）×ＩＮ
Ｉ０Ｒ＝（ＲＮ／２５５）×Ｉ０
Ｉ０Ｇ＝（ＧＮ／２５５）×Ｉ０
Ｉ０Ｂ＝（ＢＮ／２５５）×Ｉ０
そして、図９に示すように「Ｉ０」から「ＩＮ」の間に分布している明度値が、明度値間の相対関係を維持したままＲＧＢ各色の明度範囲に収められる。これにより、色についての概念を持たない白黒画像データに、上記のレーベル色データが表わすレーベル色が反映されて、そのようなレーベル色を含めてレーベル画像を再現するレーベル再現データが得られることとなる。
【００９３】
図１１には、上記のレーベル色データが（ＲＮ，ＧＮ，ＢＮ）＝（１５０，１００，５０）である場合に求められるレーベル再現データにおけるＲＧＢ３色それぞれのヒストグラムＨＲ，ＨＧ，ＨＢが示されている。この図１１から分かるように、各色のヒストグラムは、図１０に示す正規化済みの白黒画像データにおける明度値のヒストグラムＨ２と同様に、図９に示すヒストグラムＨ１における明度値と頻度との相対関係が維持されたものとなる。
【００９４】
図８のステップＳ１０３においてレーベル再現データが上記のように得られると、そのレーベル再現データが表わす画像が、レーベル色と描画時のダイナミックレンジとの両方を含めてレーベル画像を再現したプレビュー画像として、図１に示す表示画面１２１に表示される（ステップＳ１０４）。
【００９５】
以上、説明した本実施形態のレーベル画像描画装置によれば、ユーザが選択した下限を有するダイナミックレンジで描かれたレーベル画像が忠実に再現された好ましいプレビュー画像を表示することができる。そして、本実施形態では、そのように表示されたプレビュー画像によって、レーベル画像についての事前確認が終了すると、上記のレーベル画像描画部６２０によってレーベル画像がレーベル面に実際に描画されることとなる。
【００９６】
尚、上記では、本発明にいう記録メディアの一例である、データが光で記録されるデータ面と、その光でレーベル画像が描画されるレーベル面とを有するレーベル描画型のＤＶＤの具体例については言及しなかったが、このレーベル描画型のＤＶＤとしては、例えばＬａｂｅｌｆｌａｓｈ（登録商標）対応のＤＶＤや、Ｌｉｇｈｔｓｃｒｉｂｅ（登録商標）対応のＤＶＤ等が挙げられる。ここで、Ｌａｂｅｌｆｌａｓｈ（登録商標）対応のＤＶＤを用いる場合には、Ｌａｂｅｌｆｌａｓｈ（登録商標）対応のＤＶＤドライブが必要となり、Ｌｉｇｈｔｓｃｒｉｂｅ（登録商標）対応のＤＶＤを用いる場合には、Ｌｉｇｈｔｓｃｒｉｂｅ（登録商標）対応のＤＶＤドライブが必要となる。
【００９７】
また、上記では、本発明にいうレーベル画像再現部の一例として、レーベル画像をレーベル色と描画時のダイナミックレンジとの両方を含めて再現するレーベル再現データを作成する画像処理部６５０を有する例を示したが、本発明はこれに限るものではなく、本発明のレーベル画像再現部は、例えば、レーベル画像をレーベル色のみを含めて再現するもの等であっても良い。この場合、ダイナミックレンジについては、例えばレーベル面で描画可能な最大濃度と最小濃度とで決まるダイナミックレンジ等といった固定的なダイナミックレンジを使った再現が行なわれることとなる。
【図面の簡単な説明】
【００９８】
【図１】本発明のレーベル画像描画装置の一実施形態として動作するコンピュータシステムの外観斜視図である。
【図２】図１に示すＤＶＤドライブ２００の内部構成を示すハードウェアブロック図である。
【図３】図１および図２に示すパーソナルコンピュータ１００のハードウェア構成図である。
【図４】本発明のレーベル画像描画プログラムの一実施形態が記憶されたＣＤ−ＲＯＭ４２０を示す概念図である。
【図５】本発明のレーベル画像描画方法の一実施形態を示すフローチャートである。
【図６】本発明のレーベル画像描画装置の一実施形態を示すブロック図である。
【図７】レーベル色情報テーブルを示す模式図である。
【図８】プレビュー画像が表示されるまでの処理の流れを示すフローチャートである。
【図９】白黒画像データで表わされたレーベル画像における明度値の分布を示すヒストグラムの一例を示す図である。
【図１０】白黒画像データに対する正規化の一例を示す図である。
【図１１】白黒画像データからカラー画像データへの変換の一例を示す図である。
【符号の説明】
【００９９】
１０    コンピュータシステム
１００    パーソナルコンピュータ
１１０    本体装置
１１０ａ    ＦＤ装填口
１１０ｂ    ＣＤ−ＲＯＭ装填口
１１１    ＣＰＵ
１１２    主メモリ
１１３    ハードディスク装置
１１４    ＦＤドライブ
１１５    ＣＤ−ＲＯＭドライブ
１１６    Ｉ／Ｏインタフェース
１１７    バス
１２０    画像表示装置
１２１    表示画面
１３０    キーボード
１４０    マウス
２００    ＤＶＤドライブ
２００ａ    ＤＶＤ装填口
２０１    光ピックアップ
２０２    スピンドルモータ
２０３    回転検出器
２０４    ＲＦアンプ
２０５    デコーダ
２０６    サーボ回路
２０７    ステッピングモータ
２０８    モータドライバ
２０９    インタフェース回路
２１０    バッファメモリ
２１１    エンコーダ
２１２    ストラテジ回路
２１３    フレームメモリ
２１４    データ変換器
２１５    レーザパワー自動制御回路（ＡＬＰＣ）回路
２１６    レーザドライバ
２１７    制御回路
３００    ＤＶＤ
４１０    ＦＤ
４２０    ＣＤ−ＲＯＭ
５００    レーベル画像描画プログラム
５１０    原画像入手部
５２０    レーベル画像描画部
５３０    ディスク情報取得部
５４０    画像濃度取得部
５５０    画像処理部
５６０    表示部
６００    レーベル画像描画装置
６１０    原画像入手部
６２０    レーベル画像描画部
６３０    ディスク情報取得部
６４０    画像濃度取得部
６５０    画像処理部
６６０    表示部
【図１】
2007272951.tif 000003
【図２】
2007272951.tif 000004
【図３】
2007272951.tif 000005
【図４】
2007272951.tif 000006
【図５】
2007272951.tif 000007
【図６】
2007272951.tif 000008
【図７】
2007272951.tif 000009
【図８】
2007272951.tif 000010
【図９】
2007272951.tif 000011
【図１０】
2007272951.tif 000012
【図１１】
2007272951.tif 000013